(57)【特許請求の範囲】
【請求項１】
オープンショーケース本体の上部に設けられている冷却風吹出口の後方に巻き取り式のシートカバーをオープンショーケース本体の長手方向に取り付け、シートカバーを展開してその先端部を所定の陳列棚の前縁に係合固定することにより所定の陳列棚の陳列領域をシートカバーにより覆い得るようにしたことを特徴とするオープンショーケース。
【請求項２】
シートカバーの先端部にループ式係合片を設け、陳列棚の前縁にフック式係合片を設け、ループ式係合片とフック式係合片とを相互に結合し得るようにしたことを特徴とする請求項１記載のオープンショーケース。
【請求項３】
シートカバーの先端部にフック式係合片を設け、陳列棚の前縁にループ式係合片を設け、フック式係合片とループ式係合片とを相互に結合し得るようにしたことを特徴とする請求項１記載のオープンショーケース。
【請求項４】
シートカバーの先端部にフックを設け、このフックを陳列棚の前縁に直接引掛け得るようにしたことを特徴とする請求項１記載のオープンショーケース。
【請求項５】
シートカバーの後方に照明灯を配置したことを特徴とする請求項１記載のオープンショーケース。
【請求項６】
シートカバーを半透明の材料で形成したことを特徴とする請求項１記載のオープンショーケース。
【請求項７】
シートカバーを不透明の材料で形成したことを特徴とする請求項１記載のオープンショーケース。
【請求項８】
シートカバーの表面に絵柄を入れたことを特徴とする請求項１記載のオープンショーケース。
【発明の詳細な説明】
【０００１】
【発明の属する技術分野】
本発明は、飲食品を保冷しながら展示販売するための冷蔵オープンショーケースに関する。
【０００２】
【従来の技術】
冷蔵オープンショーケースにおいては、前面を除き周囲を断熱壁により囲まれた本体の前面にいくつかの陳列棚を設け、各陳列棚上にそれぞれ所定の商品を適宜陳列し、本体の上部から冷却風を吹き出させて陳列棚の前方にエアカーテンを形成させ、外部からの熱の浸入を防ぎながら商品を保冷するようになっている。一般に商品は、曜日、立地条件によって売れ行き商品の種類、数量等が異なるものである。即ち、土曜、日曜のような休日に販売数量が多く、平日はそれに比し少ない店、その逆に平日の方が休日より販売数量が多い店など、様々である。従ってオープンショーケースの陳列面積を最大に販売が見込める条件で定めると、販売数量の少ない曜日にもその陳列面積を１００％利用すると、陳列空間に無駄が生じ、オープンショーケースの冷却に要する電力も不必要に大となる。このため、販売数量が少ないと予想される日には、陳列棚を部分的に使用し、商品の陳列面積を縮小することが望ましい。この陳列面積を縮小する一つの方法として、陳列棚を折り畳めるように形成し、その日その日の条件に応じて陳列棚の一部を折り畳んで商品をその部分には商品を陳列しないようにすることが提案されている。しかしながら、この方法は陳列棚が強度上かなりの重量物であるため陳列棚の上げ降ろしに難があり、また使用されない陳列棚がそのまま露出しているため、商品購入者に違和感を与えることにもなり、満足すべき手段ではない。
【０００３】
【発明が解決しようとする課題】
本発明の課題は、商品の陳列数量に応じて陳列面積を変えることができ、しかも商品購入者にもなんら違和感を与えることのないオープンショーケースを提供することにある。
【０００４】
【課題を解決するための手段】
上述の課題を解決するため、本発明においては、オープンショーケース本体の上部に設けられている冷却風吹出口の後方に巻き取り式のシートカバーをオープンショーケース本体の長手方向に取り付け、シートカバーを展開してその先端部を所定の陳列棚の前縁に係合固定することにより所定の陳列棚の陳列領域をシートカバーにより覆い得るようにしたものである。
【０００５】
【発明の実施の形態】
本発明においては、オープンショーケースの前面にエアカーテンを形成するための冷却風吹出口の後方に巻き取り式のシートカバーを取り付け、陳列面積を縮小しようとするときは、縮小しようとする陳列棚の前縁までシートカバーを展開し、シートカバーの先端を陳列棚の前縁に係合して固定し、その陳列棚の領域をシートカバーで覆うようにし、冷却風吹出口から流出する冷却風、即ちエアカーテンはシートカバーの上面に沿って上方から下方に流れるようにする。
【０００６】
シートカバーの先端と陳列棚の前縁との係合には種々の機構が可能であるが、例えばいずれか一方にループ式の係合片、他方にフック式の係合片を設け、両係合片を相互に結合することによって可能である。陳列棚の前縁に設けるべき係合片は、通常陳列棚の前縁に設けられるプライスレールを利用して形成してもよいし、独自の係合片を陳列棚の前縁に設けてもよい。また、シートカバーの先端部にフックを設け、このフックを陳列棚の前縁部に直接引掛けるようにしてもよい。
【０００７】
冷却風吹出口の後方に照明灯を配置し、シートカバーを半透明の材料で作り、シートカバーを透過する光によりシートカバーを後方から照示するようにすると好ましい。この場合、シートカバーの表面に絵柄や商品に関する情報等を付し、この絵柄が光により浮き上がるようにしてもよい。
【０００８】
シートカバーは不透明な材料で形成し、その表面に適当な絵柄、情報等を付すようにしてもよい。
【０００９】
【実施例】
次に本発明の実施例を図面について説明する。
【００１０】
図１において、１は前面を除いて断熱壁で囲まれたオープンショーケース本体、２はそのデッキ部、３、４はデッキ部２の上方に配置された陳列棚、５は本体１の背面に設けた冷却風通路、６は冷却風通路５内に設けた冷却器、７は送風用ファン、８は本体１の前面下部に設けた吸込口、９は冷却風通路５の上部末端に設けた冷却風吹出口、１０は冷却風吹出口９の後方において本体１の長手方向、本体１の前面と平行な方向に設けた巻き取り式のシートカバー、１１はシートカバーの先端に取り付けたループ式係合片兼把手、１２、１３は陳列棚３、４の前縁、１４、１５は前縁１２、１３に取り付けたプライスレール、１６、１７はプライスレールの下端に設けたフック式係合片である。１８はシートカバー１０の更に後方に取り付けた照明灯である。シートカバー１０は、例えばポリエステルフィルムにより形成され、全部展開したとき最下段の陳列棚４の前縁まで覆い得るだけの大きさを有し、内蔵のばねにより自動的にシートが巻き込まれるように形成すると有利である。
【００１１】
次に本発明の使用方法について説明する。販売する商品の数量が多く、デッキ部２、陳列棚３、４のすべてを使用する場合には、シートカバー１０は巻き込まれたままで、陳列棚３、４の前面は全く覆われることはない。曜日その他の条件で商品の需要が少ないと見込まれる場合で、デッキ部２と陳列棚４とで十分に足りると判断される場合には、シートカバー１０の先端に設けたループ式係合片兼把手１１を掴んでシートカバー１０を引き出し、陳列棚３の所まで引き降ろしてループ式係合片１１を陳列棚３の前縁１２のフック式係合片１６に引っ掛けて固定する。この状態を図２ａ、ｂに示す。これによって、陳列棚３の領域は全面にわたってシートカバー１０により覆われ、商品はデッキ部２と陳列棚４にのみ陳列される。この際、冷却風吹出口９から吹き出されるエアカーテンは矢印で示すようにシートカバー１０にほぼ平行に下方へ流れ、吸込口８より吸い込まれる。更に展示商品の数量が少ない場合には、更にシートカバー１０を陳列棚４の位置まで引き降ろし、ループ式係合片１１を陳列棚４の前縁１３のフック式係合片１７に引っ掛けて固定し、陳列棚３及び４の両者の領域を覆うようにする。この状態を図３ａ、ｂに示す。この場合もエアカーテンは矢印で示すようにシートカバー１０の表面にほぼ平行に流れ、吸込口８より吸い込まれる。展示商品の数量が増した場合にはシートカバー１０を巻き戻し本体１内に収容することによって、各陳列棚の領域は再び開放される。
【００１２】
図４は前述のシートカバーに設けたループ式係合片の拡大図で、図１と同等部分には同符号が付されている。シートカバー１０の先端部４１のほぼ中央にループ式係合片１１が取付片４２によって取り付けられている。このループ式係合片１１はリング状に形成され、シートカバーを操作するときの把手をも兼用している。
【００１３】
図５は前述の陳列棚の前縁に設けたフック式係合片の拡大図で、図１と同等部分には同符号が付されている。陳列棚３、４の各前縁１２、１３にはプライスレール１４、１５が固定され、プライスレール１４、１５の下部にフック式係合片１６、１７がねじ５１によって取り付けられている。係合片１６、１７の先端５２は湾曲し、ループ式係合片が引掛けられたとき外れないように形成されている。陳列棚の前縁に設けるべき係合片はプライスレールを利用することなく独自の機構のものを設けてもよい。また、ループ式係合片とフック式係合片の位置関係をシートカバーと陳列棚の前縁に対し逆にしてもよい。
【００１４】
シートカバーの先端部と陳列棚の前縁との係合には上述の係合方式以外のものも使用することができ、図６はその一例を示す。図６ａはその正面図、図６ｂは縦断側面図、図６ｃは係合状態の説明図で、図１と同等部分には同符号が付されている。シートカバー１０の先端部６１のほぼ中央に把手の役目をするリング６２が取付片６３によって取り付けられ、そのリング６２の下端にＬ型のフック６４が形成されている。このフック６４は陳列棚３、４の各前縁１２、１３に通常取り付けられているプライスレール１４、１５の下端６５に直接引掛け、固定することができる。なお、この場合、リング６２を設けずフック６４を取付片６３によりシートカバー１０の先端部６１に取り付け、このフック６４を掴んでシートカバー１０の操作をするようにしてもよい。
【００１５】
シートカバー１０を半透明性の材料で形成した場合には、照明灯１８を点灯することによって、シートカバー１０を透光させ、美観を呈させるようにすることができる。
【００１６】
シートカバー１０の表面には、場合によっては適切な絵柄、情報を付すことができる。例えばシートカバーの表面に関連商品の絵柄を入れ利用者の関心を呼んだり、花柄模様等を入れ利用者にリラックス感を与え得るようにしたり、消費者にとって有効な商品情報を呈示するようにしてもよい。
【００１７】
【発明の効果】
本発明によれば、シートカバーの上げ降ろしのみで極めて簡単に陳列棚の陳列面積を調整することができ、曜日その他の特殊条件に即座に対応して省エネルギー化によりランニングコストを最小限にすることができる。また、使用しない陳列棚の部分はシートカバーにより覆われて露出しないから、利用者に違和感を与えることがなく、シートカバーの表面に絵柄等を付すことによって好ましい雰囲気感を与えることができる。更にシートカバーを降ろした際、その閉鎖された陳列棚の前面にあるシートカバーの表面はエアカーテンの流れにほぼ平行になり、エアカーテンに渦を生じさせることがないから、このシートカバーが存在しない場合のように陳列棚の上部空間においてエアカーテンの流れに渦を生じて外気を誘い込み保冷効果を減殺するようなことがなく、エアカーテンは良好な保冷効果を奏することができ、一層の省エネルギー化に導くものである。
【図面の簡単な説明】
【図１】本発明の実施例の側面図である。
【図２】本発明の実施例の作動状態の一例の、ａは側面図、ｂは正面図である。
【図３】本発明の実施例の作動状態の異なる例の、ａは側面図、ｂは正面図である。
【図４】本発明の実施例のシートカバーに設けられた係合片の一例の拡大正面図である。
【図５】本発明の実施例の陳列棚の前縁に設けられた係合片の一例の拡大正面図である。
【図６】本発明の実施例のシートカバーに設けられた係合片の異なる例の、ａは拡大正面図、ｂは縦断側面図、ｃは係合状態の説明図である。
【符号の説明】
１  オープンショーケース本体
２  デッキ部
３、４  陳列棚
５  冷却風通路
６  冷却器
７  送風用ファン
８  吸込口
９  冷却風吹出口
１０  シートカバー
１１  ループ式係合片
１２、１３  陳列棚の前縁
１４、１５  プライスレール
１６、１７  フック式係合片
１８  照明灯
４１  シートカバーの先端部
４２  取付片
５１  ねじ
５２  フック式係合片の先端
６１  シートカバーの先端部
６２  リング
６３  取付片
６４  フック
６５  プライスレールの下端
【図１】
0003724613.tif 000002
【図２】
0003724613.tif 000003
【図３】
0003724613.tif 000004
【図４】
0003724613.tif 000005
【図５】
0003724613.tif 000006
【図６】
0003724613.tif 000007